(57)【要約】【課題】低温エリアの前面にエアカーテンを確実に形成しながら、低温エリア内に十分な冷気を供給して、低温エリアの内部温度を設定温度に維持することができる２温度式のショーケースを提供する。【解決手段】陳列室３の内部が、中間ダクト１０で下側の低温エリアＡ１と、上側の高温エリアＡ２とに区分されている２温度式のショーケースにおいて、中間ダクト１０のダクト本体２５に、吸込口１７へ向かって冷気を吹出して低温エリアＡ１にエアカーテンを形成する第１吹出口２８と、低温エリアＡ１の内部へ向かって冷気を吹出す第２吹出口２９とを設ける。第１吹出口２８はダクト本体２５の下壁２５ｂの前縁部の左右端にわたって開口し、第２吹出口２９はダクト本体２５の下壁２５ｂの後縁部に開口する。中間ダクト１０に分配構造を設けて、ダンパー部２６で導入した冷気を第１吹出口２８と、第２吹出口２９とに分配して送給する。【選択図】図１
2015215131.tif 000002
【特許請求の範囲】
【請求項１】
本体ケース（１）と、陳列室（３）を区画する内ケース（２）とを有し、陳列室（３）に臨む内ケース（２）の後壁（２ａ）に複数のダンパー開口（１１）が多段状に配置されており、
前記ダンパー開口（１１）のいずれかひとつに差込み装着される中間ダクト（１０）で、陳列室（３）の内部が下側の低温エリア（Ａ１）と、上側の高温エリア（Ａ２）とに区分されている２温度式のショーケースであって、
中間ダクト（１０）は、中空箱状に形成されるダクト本体（２５）と、ダクト本体（２５）の後端に一体に形成されて、冷気通路（４）内の冷気をダクト本体（２５）に導入するダンパー部（２６）とを備えており、
ダクト本体（２５）に、低温エリア（Ａ１）の下端前部の吸込口（１７）へ向かって冷気を吹出して低温エリア（Ａ１）にエアカーテンを形成する第１吹出口（２８）と、低温エリア（Ａ１）の内部へ向かって冷気を吹出す第２吹出口（２９）とが設けられており、
第１吹出口（２８）は、ダクト本体（２５）の下壁（２５ｂ）の前縁部の左右端にわたって開口されており、第２吹出口（２９）は、ダクト本体（２５）の下壁（２５ｂ）の後縁部に開口されており、
中間ダクト（１０）に、ダンパー部（２６）で導入した冷気を第１吹出口（２８）と、第２吹出口（２９）とに分配して送給する分配構造が設けられていることを特徴とする２温度式のショーケース。
【請求項２】
ダクト本体（２５）の内面後部に、ダンパー部（２６）の冷気導入口（２７）に連通する後室（４３）が仕切壁（３３）で区分されており、
冷気導入口（２７）および後室（４３）の内部は、仕切壁（３３）の後面左右に配置された区分壁（３４）で、左右中央の第１ダクト（３１）と、左右両側の第２ダクト（３２）とに区分されており、
第１ダクト（３１）に臨む仕切壁（３３）には、第１ダクト（３１）内の冷気を第１吹出口（２８）へ送給するための通気孔（４０）が形成され、第２ダクト（３２）に臨む後室（４３）の下壁（２５ｂ）に第２吹出口（２９）が開口されており、
分配構造が、第１吹出口（２８）に冷気を送給する第１ダクト（３１）と、第２吹出口（２９）に冷気を送給する第２ダクト（３２）とで構成されている請求項１に記載の２温度式のショーケース。
【請求項３】
第１ダクト（３１）に臨む後室（４３）の下壁（２５ｂ）に第３吹出口（３０）が開口されている請求項２に記載の２温度式のショーケース。
【請求項４】
第３吹出口（３０）の開口面積を１とするとき、通気孔（４０）の開口面積が１〜３に設定されている請求項３に記載の２温度式のショーケース。
【請求項５】
第１ダクト（３１）は、第１ダクト（３１）に冷気を導入する第１導入口（３７）を備えており、第２ダクト（３２）は、第２ダクト（３２）に冷気を導入する第２導入口（３８）を備えており、
第２導入口（３８）の開口面積を１とするとき、第１導入口（３７）の開口面積が１〜２に設定されている請求項２から４のいずれかひとつに記載の２温度式のショーケース。
【発明の詳細な説明】
【技術分野】
【０００１】
本発明は、中間ダクトでショーケースの陳列室を低温エリアと、高温エリアとに区分した状態で商品を陳列できる２温度式のショーケースに関し、とくに低温エリアに対する冷気の供給構造の改良に関する。
【背景技術】
【０００２】
本出願人は、この種のショーケースを先に提案している（特許文献１）。特許文献１のショーケースでは、陳列室の上下中途部に中間ダクトを配置して、中間ダクトより下側の低温エリアと、中間ダクトより上側の高温エリアとに区分している。陳列室に臨む後壁の中央部分には、両エリアに向かって冷気または加温空気を吹出す後壁吹出口と、中間ダクトを差込み装着するためのダンパー開口とが交互に位置する状態で多段状に配置されている。ダンパー開口は、中間ダクトが差込み装着されていない状態では、その後側に配置したドアで塞がれている。ダンパー開口に中間ダクトを差込み装着することにより、第１通路（冷気通路）を介して供給される冷気を中間ダクトの前部吹出口から吹出して、低温エリアの前面に冷気によるエアカーテンを形成し、第２通路（循環空気通路）を介して供給される循環空気を高温エリアの上端前部吹出口から吹出して、ショーケースの前面に循環空気によるエアカーテンを形成する。また、中間ダクトで第１通路の縦通路を上下に区分して、中間ダクトが差込み装着されたダンパー開口よりも下側の後壁吹出口から低温エリアに冷気を吹出し、中間ダクトが差込み装着されたダンパー開口よりも上側の後壁吹出口から高温エリアに加温空気を吹出す。
【０００３】
本発明に係る２温度式のショーケースでは、中間ダクトに低温エリアの内部に向かって冷気を吹出すための吹出口を備えるが、この点に関して例えば特許文献２が公知である。特許文献２のショーケースでは、前端から冷気を吹出すことができるダクト部（中間ダクト）を備えている。ダクト部には、ダクト部の下面の全面にわたって一群の空気吹出口を設けており、ダクト部の前端、および下面の空気吹出口から、ダクト部より下方の商品収納部（低温エリア）の内部に向かって冷気を吹出している。
【先行技術文献】
【特許文献】
【０００４】
【特許文献１】特開２０１４−０３７９１６号公報
【特許文献２】特開２００６−２７１８２３号公報
【発明の概要】
【発明が解決しようとする課題】
【０００５】
特許文献１の２温度式のショーケースによれば、例えば駅構内の売店など、ショーケースの設置面積を大きく取れない場合に、陳列温度が異なる商品を同時に陳列できるので便利である。また、ダンパー開口に対する中間ダクトの上下方向の装着位置の違いで、低温エリアと高温エリアの上下高さを大小に変更して、各エリアに陳列する商品の比率を調整することができる。しかし、中間ダクトを差込み装着するダンパー開口が上側になるほど冷気の循環路長が長くなり、その分だけ圧力損失の影響を受けて冷気の循環風速が遅くなる。また、冷気の循環風速が遅くなると、後面吹出口から低温エリアに向かって吹出される冷気の風速が低下するので、低温エリアの内部への冷気の供給が十分に行われず、低温エリアの内部温度を設定温度に維持することが困難になる。冷気を低温エリアに吹出すための通路構造が複雑であり、このことも冷気の効果的な循環を阻害する要因になっている。
【０００６】
その点、特許文献２のショーケースでは、ダクト部の下面に設けた一群の空気吹出口から低温エリアに向かって冷気を吹出すので、中間ダクトの装着位置による冷気の循環風速の影響を大きく受けることなく低温エリアの内部に冷気を十分に吹出すことができる。しかし、特許文献２のショーケースでは、ダクト部下面の一群の空気吹出口から冷気を吹出すので、ダクト前端の吹出口に到達する冷気の量が不足し、低温エリアの前面に適正な風速のエアカーテンを形成できない。そのため、低温エリアの冷気がショーケースの外へ漏れ出て、低温エリアの内部温度を設定温度に維持することが困難になる。また、冷気がショーケースの外へ漏れ出ると、低温エリアの内部温度を設定温度に維持するために冷凍機器の運転時間が長大化し、ショーケースのランニングコストの増加を招く。
【０００７】
本発明の目的は、低温エリアの前面にエアカーテンを確実に形成しながら、低温エリア内に十分な冷気を供給して、低温エリアの内部温度を設定温度に維持することができる２温度式のショーケースを提供することにある。
【課題を解決するための手段】
【０００８】
本発明は、本体ケース１と、陳列室３を区画する内ケース２とを有し、陳列室３に臨む内ケース２の後壁２ａに複数のダンパー開口１１が多段状に配置されており、前記ダンパー開口１１のいずれかひとつに差込み装着される中間ダクト１０で、陳列室３の内部が下側の低温エリアＡ１と、上側の高温エリアＡ２とに区分されている２温度式のショーケースを適用対象とする。中間ダクト１０は、中空箱状に形成されるダクト本体２５と、ダクト本体２５の後端に一体に形成されて、冷気通路４内の冷気をダクト本体２５に導入するダンパー部２６とを備えている。ダクト本体２５に、低温エリアＡ１の下端前部の吸込口１７へ向かって冷気を吹出して低温エリアＡ１にエアカーテンを形成する第１吹出口２８と、低温エリアＡ１の内部へ向かって冷気を吹出す第２吹出口２９とが設けられている。第１吹出口２８は、ダクト本体２５の下壁２５ｂの前縁部の左右端にわたって開口されており、第２吹出口２９は、ダクト本体２５の下壁２５ｂの後縁部に開口されている。中間ダクト１０に、ダンパー部２６で導入した冷気を第１吹出口２８と、第２吹出口２９とに分配して送給する分配構造が設けられていることを特徴とする。
【０００９】
ダクト本体２５の内面後部に、ダンパー部２６の冷気導入口２７に連通する後室４３を仕切壁３３で区分する。冷気導入口２７および後室４３の内部は、仕切壁３３の後面左右に配置した区分壁３４で、左右中央の第１ダクト３１と、左右両側の第２ダクト３２とに区分する。第１ダクト３１に臨む仕切壁３３には、第１ダクト３１内の冷気を第１吹出口２８へ送給するための通気孔４０を形成し、第２ダクト３２に臨む後室４３の下壁２５ｂに第２吹出口２９を開口する。分配構造を、第１吹出口２８に冷気を送給する第１ダクト３１と、第２吹出口２９に冷気を送給する第２ダクト３２とで構成する。
【００１０】
第１ダクト３１に臨む後室４３の下壁２５ｂに第３吹出口３０を開口する。
【００１１】
第３吹出口３０の開口面積を１とするとき、通気孔４０の開口面積を１〜３に設定する。
【００１２】
第１ダクト３１は、第１ダクト３１に冷気を導入する第１導入口３７を備え、第２ダクト３２は、第２ダクト３２に冷気を導入する第２導入口３８を備える。第２導入口３８の開口面積を１とするとき、第１導入口３７の開口面積を１〜２に設定する。
【発明の効果】
【００１３】
本発明においては、陳列室３の内部が、中間ダクト１０で下側の低温エリアＡ１と、上側の高温エリアＡ２とに区分されている２温度式のショーケースにおいて、低温エリアＡ１にエアカーテンを形成する第１吹出口２８を、ダクト本体２５の下壁２５ｂの前縁部の左右端にわたって開口した。また、低温エリアＡ１の内部へ向かって冷気を吹出す第２吹出口２９を、ダクト本体２５の下壁２５ｂの後縁部に開口した。そして、中間ダクト１０に、第１吹出口２８と第２吹出口２９とにダンパー部２６で導入した冷気を分配して送給する分配構造を設けた。
【００１４】
従って、本発明の２温度式のショーケースによれば、第１および第２の吹出口２８・２９のそれぞれから適量の冷気を確実に吹出して、第１吹出口２８から吹出す冷気で低温エリアＡ１に確実にエアカーテンを形成しながら、第２吹出口２９から吹出す冷気で低温エリアＡ１の内部に十分な冷気を供給して、低温エリアＡ１の内部温度を設定温度に維持することができる。また、低温エリアＡ１の下端前部の吸込口１７から最も遠い低温エリアＡ１の上部後側から低温エリアＡ１の内部に冷気を吹出すので、低温エリアＡ１の全体に冷気を行き渡らせることができ、低温エリアＡ１の温度むらを解消できる。さらに、低温エリアＡ１のエアカーテンが確実に形成されるので、低温エリアＡ１の冷気がショーケースの外へ漏れ出すのを防止して、冷凍機器の運転時間をより短縮してランニングコストを削減できる。
【００１５】
冷気導入口２７および後室４３の内部を、左右中央の第１ダクト３１と、左右両側の第２ダクト３２とに区分壁３４で区分し、分配構造を、第１吹出口２８に冷気を送給する第１ダクト３１と、第２吹出口２９に冷気を送給する第２ダクト３２とで構成した。これによれば、冷気導入口２７から導入した冷気を、第１ダクト３１と第２ダクト３２とに所定の比率で分配し、分配された冷気のそれぞれを第１および第２の吹出口２８・２９から吹出すことができる。従って、エアカーテンを確実に形成しながら、低温エリアＡ１の内部に十分な冷気を供給できる。また、第２吹出口２９を、左右両側の第２ダクト３２に臨む後室４３の下壁２５ｂに開口したので、低温エリアＡ１の左右端の隅々まで冷気を行き渡らせることができ、低温エリアＡ１の温度むらをさらに解消できる。例えば幅寸法が異なる複数種のショーケースに本発明を適用する場合には、第１ダクト３１と第２ダクト３２とに導入される冷気の比率は、区分壁３４を設ける位置により自在に設定できるので、ショーケースの幅寸法に応じた冷気の分配比率を簡便に設定できる利点もある。
【００１６】
また、仕切壁３３と左右の区分壁３４で第１ダクト３１と第２ダクト３２を区分するので、従来（特許文献１）の冷気通路構造に比べて、通路構造を簡素化して通気抵抗を小さくでき、その分だけ冷気を効果的に循環させることができる。後室４３から仕切壁３３より前側のダクト本体２５側への冷気の流入は、第１ダクト３１に臨む通気孔４０を備えた仕切壁３３で抑制している。これにより、第１ダクト３１と第２ダクト３２の通気抵抗を略同等にして、第１ダクト３１あるいは第２ダクト３２のいずれか一方に過剰に冷気が分配されるのを防いでいる。
【００１７】
第１ダクト３１に臨む後室４３の下壁２５ｂに第３吹出口３０を開口すると、第１ダクト３１で第１吹出口２８に送給される冷気の一部を第３吹出口３０から低温エリアＡ１の内部に向かって吹出すことができ、ダクト本体２５の後縁部の左右方向の全体から冷気を低温エリアＡ１に吹出すことができる。従って、低温エリアＡ１の全体にむらなく均一に冷気を供給して、低温エリアＡ１の温度むらを確実に解消することができる。とくに、左右方向の幅寸法が大きなショーケースの場合には、低温エリアＡ１の左右側端の温度と中央部の温度とに差が生じやすいが、ダクト本体２５の後縁部の左右方向の全体から冷気を低温エリアＡ１に吹出すことにより、先のような温度むらを一掃することができる。
【００１８】
第３吹出口３０の開口面積を１とするとき、通気孔４０の開口面積を１〜３に設定するのは以下の理由による。通気孔４０の合計の開口面積が１未満であると、第１吹出口２８に送給される冷気の量が不足し、低温エリアＡ１の前面に適正な風速のエアカーテンが形成できないからである。また、通気孔４０の合計の開口面積が３を超えると、第３吹出口３０からほとんど冷気が吹出されず、低温エリアＡ１の内部の左右中央部分に温度むらが生じるからである。
【００１９】
第２ダクト３２が備える第２導入口３８の開口面積を１とするとき、第１ダクト３１が備える第１導入口３７の開口面積を１〜２に設定するのは以下の理由による。第１導入口３７の開口面積が１未満であると、第１吹出口２８に送給される冷気の量が不足し、低温エリアＡ１の前面に適正なエアカーテンが形成できないからである。また、第１導入口３７の開口面積が２を超えると、第２吹出口２９から吹出される冷気の量が不足して、低温エリアＡ1の内部に温度むらが生じるからである。
【図面の簡単な説明】
【００２０】
【図１】本発明に係る２温度式のショーケースにおける中間ダクトの底面図である。
【図２】２温度式のショーケースの概略構造を示す縦断側面図である。
【図３】２温度式のショーケースの正面図である。
【図４】中間ダクトの通路区分構造を示す縦断側面図である。
【図５】図３におけるＡ−Ａ線断面図である。
【発明を実施するための形態】
【００２１】
（実施例）  図１から図５は、本発明に係る２温度式のショーケースの実施例を示す。この実施例における前後、左右、上下とは、図１、図２および図３に示す交差矢印と、各矢印の近傍に表記した前後、左右、上下の表示に従う。図２においてショーケースは、前面が開口する断熱箱体で形成される本体ケース１と、本体ケース１の内側に配置されて陳列室３を区画する内ケース２と、両ケース１・２の間に区画される冷気通路４および循環空気通路５とを備えている。符号６は棚ブラケット、符号７は板ガラス製の棚板であり、棚ブラケット６は、棚板７の左右端にそれぞれ固定されている。
【００２２】
陳列室３の内部は、内ケース２の上下中途部に配置した中間ダクト１０で、中間ダクト１０より下側の低温エリアＡ１と、中間ダクト１０より上側の高温エリアＡ２とに区分されている。詳しくは、図３に示すように、陳列室３に臨む内ケース２の後壁２ａの中央部分には、中間ダクト１０を差込装着するための４個のダンパー開口１１が上下方向に多段状に配置されており、中間ダクト１０をいずれかのダンパー開口１１に差込装着することにより、陳列室３を低温エリアＡ１と高温エリアＡ２とに区分できる。低温エリアＡ１と高温エリアＡ２の上下高さは、ダンパー開口１１に対する中間ダクト１０の上下方向の装着位置の違いで大小に変更することができる。なお、図３においては下から２番目のダンパー開口１１に中間ダクト１０を装着した状態を示している。
【００２３】
図２に示すように、冷気通路４は、低温エリアＡ１の下部から後部にわたって形成した底通路４ａと、底通路４ａの後部から上向きに立ち上がる縦通路４ｂとで構成されており、その底通路４ａに循環ファン１３が配置され、縦通路４ｂの下部に冷凍機器を構成する蒸発器１４が配置されている。縦通路４ｂは、内ケース２の後壁２ａと、同壁２ａの後方に平行に配置された中間壁１５との間に区画されている。図５に示すように、ダンパー開口１１が配置される縦通路４ｂ部分は、他の部分よりも左右方向の幅寸法が小さく設定されている。具体的には、縦通路４ｂ内には、後壁２ａと中間壁１５とを接続するように、正面視でコ字状の隔壁１５ａが左右に設けられており（図３参照）、左右の隔壁１５ａで蒸発器１４が配置される縦通路４ｂより左右方向の幅寸法を小さくしている。
【００２４】
循環空気通路５は、循環ファン１３と蒸発器１４との間の底通路４ａの後部から分岐されており、本体ケース１の後部および上部に沿って形成されて、循環ファン１３から送給される熱交換前の循環空気の一部を上部吹出口１６へ向かって送給案内する。循環空気通路５を介して送給された循環空気を、上部吹出口１６から低温エリアＡ１の下端前部の吸込口１７へ向かって吹出すことにより、高温エリアＡ２および低温エリアＡ１の前面を覆う状態で循環空気によるエアカーテンが形成される。中間壁１５の上端には、シーズヒーターからなるヒーター１８が配置されており、高温エリアＡ２の内部温度を常温より高く設定する場合には、ヒーター１８に通電して循環空気通路５の循環空気を加温したのち、上部吹出口１６から循環空気を吹出すようにする。
【００２５】
図３において、符号２ｂは、冷気通路４の縦通路４ｂで送給される冷気の一部を低温エリアＡ１へと吹出す開口群であり、符号２ｃは、循環空気通路５で送給される循環空気の一部を高温エリアＡ２へと吹出す開口群である。なお、各開口群２ｂ・２ｃから吹出される冷気、あるいは循環空気はごく僅かであり、低温エリアＡ１および高温エリアＡ２の内部温度を変化させるほどの吹出量ではない。
【００２６】
ダンパー開口１１は、その後側に配置したドア２０で塞がれている。図４に示すように、ドア２０の上端左右は支軸２１で揺動開閉可能に支持されているので、ドア２０は自重で閉じ位置へ復帰できる。各ドア２０の下部には、斜めの接合壁２０ａが折曲げ形成されており、この接合壁２０ａを後壁２ａに設けた受壁２２の上端に配置したゴムマグネット２３で吸着することにより、各ドア２０を閉じ姿勢に保持できる。
【００２７】
図１および図４に示すように中間ダクト１０は、中空箱状に形成されるダクト本体２５と、ダクト本体２５の後端に一体に形成されて、冷気通路４を介して供給される冷気をダクト本体２５に導入するダンパー部２６とを備えている。ダクト本体２５は、上下壁２５ａ・２５ｂおよび左右壁２５ｃ・２５ｄと、前後壁２５ｅ・２５ｆとで構成されて、上下寸法が小さい中空箱状に形成されており、後壁２５ｆの中央部にダクト本体２５の内部に冷気を導入するための導入開口２５ｇが形成されている。ダンパー部２６は、上壁２６ａおよび左右壁２６ｂ・２６ｃと、後壁２６ｄとで、前面と下面が開口する角蓋状に構成されており、上壁２６ａおよび左右壁２６ｂ・２６ｃの前端部が、導入開口２５ｇの上縁および左右縁に固定されている。これにより、ダンパー部２６の下面が冷気導入口２７として開口されている。
【００２８】
ダクト本体２５には、第１吹出口２８と第２吹出口２９とが設けられている。第１吹出口２８は、ダクト本体２５の下壁２５ｂの前縁部の左右端にわたって開口されており、第２吹出口２９は、ダクト本体２５の下壁２５ｂの後縁部に開口されている。図４において符号２８ａは、冷気の吹出し方向を吸込口１７へ向かって指向させる格子状の整流枠である。冷気通路４を介して送給された冷気を、ダクト本体２５を介してその第１吹出口２８から吸込口１７へ向かって吹出すことにより、循環空気によるエアカーテンの後側に冷気によるエアカーテンが形成される。従って、低温エリアＡ１の前側には、冷気によるエアカーテンと循環空気によるエアカーテンの２重のエアカーテンが形成される。なお、エアカーテンを形成する冷気の一部は、低温エリアＡ１の内部にも供給される。
【００２９】
第２吹出口２９は、後述する左右両側の第２ダクト３２に臨む後室４３の下壁２５ｂに開口されている。左右の第２吹出口２９はそれぞれ一群の吹出開口２９ａで構成されており、左右両側のそれぞれに長円状の５個の吹出開口２９ａが直線列状に開口されている。冷気通路４を介して送給された冷気を、ダクト本体２５の装着基端（後縁部）の左右の第２吹出口２９から低温エリアＡ１の内部へ向かって吹出すことにより、低温エリアＡ１の左右端の隅々まで冷気を行き渡らせることができ、低温エリアＡ１の温度むらを解消できる。
【００３０】
中間ダクト１０には、ダンパー部２６の冷気導入口２７で導入した冷気を第１吹出口２８と、第２吹出口２９とに分配して送給する分配構造が設けられている。分配構造は、第１吹出口２８に冷気を送給する第１ダクト３１と、第２吹出口２９に冷気を送給する第２ダクト３２とで構成されている。ダクト本体２５の内面後部に、ダンパー部２６の冷気導入口２７に連通する後室４３が仕切壁３３で区分されており、これにて、ダクト本体２５の内部は前側の前室４２と後側の後室４３とに区画されている。冷気導入口２７および後室４３の内部は、仕切壁３３の後面左右に配置した区分壁３４で、左右中央の第１ダクト３１と、左右両側の第２ダクト３２とに区分されている。詳しくは、後室４３には、左右の区分壁３４で左右中央の第１チャンバー３５と左右両側の第２チャンバー３６とが区画される。また、ダンパー部２６の冷気導入口２７は、左右の区分壁３４で左右中央の第１導入口３７と左右両側の第２導入口３８とに区分される。第１ダクト３１は、第１チャンバー３５と第１導入口３７とで構成され、第２ダクト３２は第２チャンバー３６と第２導入口３８とで構成される。
【００３１】
左右の区分壁３４は、それぞれ一端が仕切壁３３に、他端がダンパー部２６の後壁２６ｄに当接する状態で、仕切板３３に対して４５度傾く状態で固定されている。これにより、ダクト本体２５の後部の左右中央部に等脚台形状の第１チャンバー３５が区画され、同チャンバー３５の左右に台形状の第２チャンバー３６が区画されている。同様に、冷気導入口２７の左右中央部に等脚台形状の第１導入口３７が区分され、同導入口３７の左右に台形状の第２導入口３８が区分されている。縦通路４ｂの冷気は、縦通路４ｂに臨む両導入口３７・３８の面積に比例して第１および第２ダクト３１・３２に分配される。区分壁３４は、第２チャンバー３６へと冷気を案内するガイド体を兼ねている。仕切壁３３と左右の区分壁３４で第１ダクト３１と第２ダクト３２を区分するので、従来の冷気通路構造に比べて、通路構造を簡素化して通気抵抗を小さくでき、その分だけ冷気を効果的に循環させることができる。
【００３２】
第１ダクト３１に臨む仕切壁３３には、第１ダクト３１内の冷気を第１吹出口２８へ送給するための通気孔４０が形成されている。通気孔４０は長円状にされ、１３個の通気孔４０が直線列状に開口されている。通気孔４０で後室４３と前室４２とを連通することにより、第１ダクト３１に導入した冷気を前室４２へと送給して、第１吹出口２８から吹出すことができる。後室４３から前室４２側への冷気の流入を、通気孔４０を備えた仕切壁３３で抑制しているので、第１ダクト３１と第２ダクト３２の通気抵抗を略同等にして、第１ダクト３１あるいは第２ダクト３２のいずれか一方に過剰に冷気が分配されるのを防いでいる。これにより、縦通路４ｂに臨む両導入口３７・３８の面積に比例して第１および第２ダクト３１・３２に冷気を分配することができる。
【００３３】
上記のように、冷気導入口２７および仕切壁３３で区分した後室４３の内部を、第１ダクト３１と第２ダクト３２とに区分壁３４で区分し、分配構造を、第１ダクト３１と第２ダクト３２とで構成すると、冷気導入口２７から導入した冷気を、第１ダクト３１と第２ダクト３２とに所定の比率で分配し、分配された冷気のそれぞれを第１および第２の吹出口２８・２９から吹出すことができる。従って、エアカーテンを確実に形成しながら、低温エリアＡ１の内部に十分な冷気を供給できる。
【００３４】
左右の区分壁３４で区分される第１導入口３７と第２導入口３８は、左右の第２導入口３８の合計の開口面積を１とするとき、第１導入口３７の開口面積を１〜２に設定することが好ましい。第１導入口３７の開口面積が１未満であると、第１吹出口２８に送給される冷気の量が不足し、低温エリアＡ１の前面に適正なエアカーテンが形成できないからである。また、第１導入口３７の開口面積が２を超えると、第２吹出口２９から吹出される冷気の量が不足して、低温エリアＡ１の内部に温度むらが生じるからである。より好ましくは、第１導入口３７の開口面積を１．４〜１．８に設定するとよい。本実施例では、第２導入口３８の合計の開口面積を１とするとき、第１導入口３７の開口面積を１．６に設定した。従って、冷気導入口２７でダクト本体２５に導入する冷気の約６２％を第１ダクト３１へと導入し、残りの３８％を第２ダクト３２へと導入している。
【００３５】
図４および図５に示すように第１ダクト３１の第１チャンバー３５に臨む下壁２５ｂには、第３吹出口３０が開口されている。第３吹出口３０は、左右方向に沿って形成される一群の吹出開口３０ａで構成されている。吹出開口３０ａは、吹出開口２９ａと同形状に形成され、１２個の吹出開口３０ａが直線列状に開口されている。これにより、第１ダクト３１で第１吹出口２８に送給される冷気の一部を第３吹出口３０から低温エリアＡ１の内部に向かって吹出すことができ、ダクト本体２５の左右方向の全体から冷気を低温エリアＡ1に供給することができる。従って、低温エリアＡ１の全体にむらなく均一に冷気を供給して、低温エリアＡ１の温度むらを確実に解消することができる。とくに、左右方向の幅寸法が大きなショーケースの場合には、低温エリアＡ１の左右側端の温度と中央部の温度とに差が生じやすいが、ダクト本体２５の後縁部の左右方向の全体から冷気を低温エリアＡ１に吹出すことにより、先のような温度むらを一掃することができる。
【００３６】
第２吹出口２９を構成する一群の吹出開口２９ａと、第３吹出口３０を構成する一群の吹出開口３０ａとは、同一軸線状に形成されている。吹出開口２９ａの隣接ピッチと、吹出開口３０ａの隣接ピッチとは異ならせてあり、吹出開口２９ａの隣接ピッチに比べて、吹出開口３０ａの隣接ピッチが大きくなるように設定している。これは、吹出開口３０ａの隣接ピッチを吹出開口２９ａの隣接ピッチと同じ、あるいは小さく設定すると、吹出開口３０ａの合計の開口面積が大きくなり、第１吹出口２８から吹出される冷気と、第３吹出口３０から吹出される冷気とのバランスを適切に調整することが困難となるからである。
【００３７】
第３吹出口３０の吹出開口３０ａの合計の開口面積を１とするとき、通気孔４０の合計の開口面積を１〜３に設定することが好ましい。通気孔４０の合計の開口面積が１未満であると、第１吹出口２８に送給される冷気の量が不足し、低温エリアＡ１の前面に適正な風速のエアカーテンが形成できないからである。また、通気孔４０の合計の開口面積が３を超えると、吹出開口３０ａからほとんど冷気が吹出されず、低温エリアＡ１の内部の左右中央部分に温度むらが生じるからである。より好ましくは、通気孔４０の合計の開口面積を１．５〜２．５に設定するとよい。本実施例では、第３吹出口３０の吹出開口３０ａの合計の開口面積を１とするとき、通気孔４０の合計の開口面積を２に設定した。従って、冷気導入口２７からダクト本体２５に導入される冷気の約４１％が第１吹出口２８から、約３８％が第２吹出口２９から、約２１％が第３吹出口３０の吹出開口３０ａから吹出されることになる。
【００３８】
図３および図５に示すように、ダクト本体２５の左右幅は、棚板７の左右幅より僅かに小さく設定されており、ダンパー部２６の左右幅はダンパー開口１１の左右幅より僅かに小さく設定されている。ダンパー部２６の後壁２６ｄには、中間壁１５との接合隙間を塞ぐマグネットを備えたシール体４４が固定されている。また、ダクト本体２５の後壁２５ｆは、下方に向かってシール壁２５ｈが延設されており、ダンパー部２６の前端の左右および下側を囲むように、スポンジシール４５が設けられている（図４参照）。これにより、ダンパー部２６をダンパー開口１１に差込み装着した状態において、ダンパー部２６の後壁２６ｄと中間壁１５との隙間をシール体４４で封止し、ダンパー部２６とダンパー開口１１との左右および下側の隙間をスポンジシール４５で封止して、冷気通路４の冷気が前記両隙間を介して、ダンパー部２６よりも上側の縦通路４ｂ、および低温エリアＡ１の内部に漏れ出るのを防いでいる。
【００３９】
ダンパー開口１１に差込み装着した中間ダクト１０を安定した状態で支持するために、ダクト本体２５の左右側壁と棚ブラケット６との間に、支持構造と、互いに係合する連結構造とを設けている。支持構造は、ダクト本体２５の左右側壁に設けられる翼片４６と、棚ブラケット６に一体に設けられて翼片４６を受止める支持片４７とからなる。連結構造は、ダクト本体２５の左右側壁に固定される雄連結体４８と、棚ブラケット６に固定される横臥Ｖ字状の雌連結体４９とからなる。両連結体４８・４９はそれぞれプラスチック成形品で形成されている。
【００４０】
中間ダクト１０のダンパー部２６の後端を、ドア２０に押付けながらダンパー開口１１に差込むと、図４に示すように、ドア２０が開放揺動されてダンパー部２６を冷気通路４内に位置させることができる。また、ダンパー部２６は、冷気通路４の縦通路４ｂを上下に区分しており、この状態のシール体４４は中間壁１５に接当している。従って、冷気通路４に送給された熱交換後の冷気は、ダンパー部２６の冷気導入口２７からダクト本体２５内へ導入される。第１ダクト３１に導入された冷気は、第１吹出口２８および第３吹出口３０から吹出されて、冷気のエアカーテンを形成しながら、低温エリアＡ１の内部へ冷気を供給する。また、第２ダクト３２に導入された冷気は、第２吹出口２９から吹出されて、低温エリアＡ１の内部へ冷気を供給する。
【００４１】
以上のように、ダクト本体２５の冷気導入口２７に分配構造を設けて、冷気導入口２７から導入された冷気を第１吹出口２８と第２吹出口２９とに分配した状態で送給すると、両吹出口２８・２９のそれぞれから適量の冷気を確実に吹出すことができる。従って、第１吹出口２８から吹出す冷気で低温エリアＡ１に確実にエアカーテンを形成しながら、第２吹出口２９から吹出す冷気で低温エリアＡ１の内部に十分な冷気を供給して、低温エリアの内部温度を設定温度に維持することができる。また、低温エリアＡ１の下端前部の吸込口１７から最も遠い低温エリアＡ１の上部後側から低温エリアＡ１の内部に冷気を吹出すので、低温エリアＡ１の全体に冷気を行き渡らせることができ、低温エリアＡ１の温度むらを解消できる。さらに、低温エリアＡ１にエアカーテンが確実に形成されるので、低温エリアＡ１の冷気がショーケースの外へ漏れ出すのを防止して、冷凍機器の運転時間をより短縮してランニングコストを削減できる。
【００４２】
上記のように構成した２温度式のショーケースにおいては、低温エリアＡ１の内部温度を低温の状態に維持して、お茶、ジュース、炭酸飲料などを冷やすことができる。また、高温エリアＡ２の内部温度を常温の状態に維持して、おにぎりや弁当などが冷却されるのを防ぐ。２温度式のショーケースは、中間ダクト１０を取外すことにより、陳列室３の全体を低温エリアＡ１にして冷蔵ショーケースとして使用することができる。その場合には、全てのダンパー開口１１はドア２０で塞がれているので、冷気通路４内に送給された冷気を、循環空気通路５へ循環させ、上部吹出口１６から吹出すことができる。なお、ショーケースを冷蔵ショーケースとして使用する場合には、ヒーター１８への通電は行わない。
【００４３】
上記の実施例では、仕切壁３３に対して傾斜配置して左右の区分壁３４をハ字状に配置したが、仕切壁３３に対して直交するように配置してもよく、要は冷気導入口２７および後室４３の内部を、第１ダクト３１と第２ダクト３２とに区分していればよい。ヒーター１８で循環空気を加熱するようにしたが、循環空気を加熱する必要がない場合には、ヒーター１８を省略できる。また、シーズヒーターに換えて面状ヒーターやニクロム線ヒーターを熱源にして循環空気を加熱してもよい。蒸発器１４は、縦通路４ｂの上下複数箇所に配置することができる。第２吹出口２９の開口形状および配置パターンは、自由に設定できるので、実施例で説明した開口形状および配置パターンには限定しない。棚板７は板ガラス以外に、金属板材やプラスチック板材で形成してあってもよい。
【符号の説明】
【００４４】
１  本体ケース
２  内ケース
３  陳列室
４  冷気通路
１０  中間ダクト
１１  ダンパー開口
１７  吸込口
２５  ダクト本体
２５ｂ  下壁
２６  ダンパー部
２７  冷気導入口
２８  第１吹出口
２９  第２吹出口
３０  第３吹出口
３１  第１ダクト
３２  第２ダクト
３３  仕切壁
３４  区分壁
３７  第１導入口
３８  第２導入口
４０  通気孔
Ａ１  低温エリア
Ａ２  高温エリア
【図１】
2015215131.tif 000003
【図２】
2015215131.tif 000004
【図３】
2015215131.tif 000005
【図４】
2015215131.tif 000006
【図５】
2015215131.tif 000007